(57)【要約】  液体容器上に装着するための閉鎖キャップ（７）が開示され、この閉鎖キャップ（７）は、好ましくは再閉鎖可能な注出用開口部（９）と、少なくとも１つの分注物（２）、たとえば錠剤を受容するための共通の受容容積（２０）を閉鎖キャップ（７）とともに形成する受容要素（１）と、を備える。閉鎖キャップ（７）は受容容積（２０）への到達手段（１２）を作り出すためにおよび受容容積（２０）内に少なくとも１つの分注物（２）を導入することまたはこれを受容容積（２０）から取り出すことを可能とするために開放され得、この場合、受容要素（１）は、その中に受容された分注物（２）が液体（３７）と接触できるように、液体（３７）が透過可能である。到達手段（１２）は、閉鎖キャップ（７）に接続され枢動または摺動によって移動可能である閉鎖要素（４２）によって、耐漏洩性の様式で閉鎖または開放され得る。【選択図】  図１８
2016533983.tif 000002
【特許請求の範囲】
【請求項１】
液体容器、好ましくはボトル（５）、より好ましくはペットボトル上に装着するための、閉鎖キャップ（７）、好ましくはねじ式キャップであって、前記閉鎖キャップ（７）が、好ましくは再閉鎖可能な注出開口部（９）と、少なくとも１つの分注物（２）、好ましくは少なくとも１つの錠剤を受容するための共通の受容容積（２０）を前記閉鎖キャップ（７）とともに形成する受容要素（１）と、を備え、前記閉鎖キャップ（７）は開放され得、こうして前記受容容積（２０）内への前記少なくとも１つの分注物（２）の導入または前記受容容積（２０）からの前記分注物の取り出しを可能にするための前記受容容積（２０）への入口（１２）を形成し、前記少なくとも１つの分注物（２）が液体（３７）と接触できるように前記受容要素（１）は前記液体（３７）が透過可能である前記閉鎖キャップ（７）において、
前記閉鎖キャップ（７）に接続された閉鎖要素（４２）が設けられ、これにより前記入口（１２）が液密な様式で封止され得るかまたは解放され得ることを特徴とする、閉鎖キャップ（７）。
【請求項２】
前記受容要素（１）が平坦な表面として構成されることを特徴とする、請求項１に記載の閉鎖キャップ（７）。
【請求項３】
前記閉鎖キャップ（７）が、前記受容要素（１）と前記注出開口部（９）との間に配置される保持要素（４１）を備え、前記保持要素（４１）は、前記分注物（２）が前記注出開口部（９）に達するのを防止するように、前記液体（３７）が透過可能であることを特徴とする、請求項１または２に記載の閉鎖キャップ（７）。
【請求項４】
前記受容要素（１）がプラスチックで製作されることを特徴とする、請求項１から３の何れか一項に記載の閉鎖キャップ（７）。
【請求項５】
前記受容容積（２０）が、少なくとも部分的に円筒の形状を有することを特徴とする、請求項１から４の何れか一項に記載の閉鎖キャップ（７）。
【請求項６】
前記受容要素（１）が、好ましくはグリッドまたは格子の形態で形成される貫通開口部（１５）を備えることを特徴とする、請求項１から５の何れか一項に記載の閉鎖キャップ（７）。
【請求項７】
前記保持要素（４１）が、好ましくはグリッドまたは格子の形態で形成される貫通開口部（１５）を備えることを特徴とする、請求項１から６の何れか一項に記載の閉鎖キャップ（７）。
【請求項８】
前記受容要素（１）が、前記閉鎖キャップ（７）によって形成された容積内に完全に配置されることを特徴とする、請求項１から７の何れか一項に記載の閉鎖キャップ（７）。
【請求項９】
前記受容要素（１）が、前記閉鎖キャップ（７）内に着脱可能に固止されることを特徴とする、請求項１から８の何れか一項に記載の閉鎖キャップ（７）。
【請求項１０】
前記保持要素（４１）が、前記閉鎖キャップ（７）内に着脱可能に固止されることを特徴とする、請求項３から９の何れか一項に記載の閉鎖キャップ（７）。
【請求項１１】
動作状態における前記分注物（２）の横方向の滑りを防止するために、前記注出開口部の方向に突出する円形の境界要素（１６）が前記受容要素（１）上に配置されることを特徴とする、請求項１から１０の何れか一項に記載の閉鎖キャップ（７）。
【請求項１２】
前記閉鎖要素（４２）が枢動可能であることを特徴とする、請求項１から１１の何れか一項に記載の閉鎖キャップ（７）。
【請求項１３】
前記閉鎖要素（４２）がヒンジ状の接続要素（４３）によって接続されることを特徴とする、請求項１から１２の何れか一項に記載の閉鎖キャップ（７）。
【請求項１４】
前記閉鎖要素（４２）が、前記閉鎖キャップのジャケット表面（４８）の一部として形成され、動作位置（８）において前記閉鎖要素（４２）が前記入口（１２）を封止することを特徴とする、請求項１から１３の何れか一項に記載の閉鎖キャップ（７）。
【請求項１５】
前記閉鎖キャップ（７）が２つの部分を備え、第１の部分（１３）が液体容器に固定するためのねじ山を備え、第２の部分（１４）が前記注出開口部（９）を形成し、前記第２の部分が前記閉鎖要素（４２）を形成することを特徴とする、請求項１から１４の何れか一項に記載の閉鎖キャップ（７）。
【請求項１６】
前記第１の部分（１３）から前記第２の部分（１４）への移行部（４６）が、前記閉鎖キャップ（７）の水平方向の分割部を表すことを特徴とする、請求項１５に記載の閉鎖キャップ（７）。
【請求項１７】
前記閉鎖キャップが、前記移行部（４６）の領域において、円筒形の様式で形成されることを特徴とする、請求項１６に記載の閉鎖キャップ（７）。
【請求項１８】
前記閉鎖キャップ（７）が前記分注物のための抜き出し可能な貯蔵要素を備え、前記貯蔵要素が前記入口（１２）と前記受容容積（２０）とに対応し、前記貯蔵要素が前記入口（１２）を通して前記受容容積（２０）内に導入され前記受容要素（１）上に定置され得ることを特徴とする、請求項１から１７の何れか一項に記載の閉鎖キャップ（７）。
【請求項１９】
前記第２の部分（１４）がそのジャケット表面上に変形部（４７）を備え、前記変形部が前記閉鎖キャップ（７）の半径方向において内向きに面し、前記変形部により、前記動作位置（８）において、前記局所的な変形部（４７）により前記第１の部分（１３）に対して圧力が及ぼされ、前記２つの部分（１３、１４）が互いに対して締め付けられることを特徴とする、請求項１５から１８の何れか一項に記載の閉鎖キャップ（７）。
【請求項２０】
前記閉鎖要素（４１）が、前記閉鎖キャップ（７）の前記ジャケット表面に沿って変位可能な摺動部として形成されることを特徴とする、請求項１から１１の何れか一項または請求項１８記載の閉鎖キャップ（７）。
【請求項２１】
前記摺動部が、プロファイルレール（４４）を使用することによって前記閉鎖キャップ（７）に対して変位可能であることを特徴とする、請求項２０に記載の閉鎖キャップ（７）。
【請求項２２】
請求項１から２１の何れか一項に記載の閉鎖キャップ（７）の受容容積（２０）内に収容するための分注物（２）、好ましくは錠剤。
【請求項２３】
前記分注物（２）が、飲料を生成するための、ならびに／または、フレーバーおよび／もしくは栄養素および／もしくは栄養補助剤および／もしくは医薬化合物を放出するための、少なくとも１つの水溶性要素（２７）を備えることを特徴とする、請求項２２に記載の分注物（２）。
【請求項２４】
前記分注物（２）が、前記受容容積（２０）よりも大きくない分注物容積（２４）を有することを特徴とする、請求項２２または２３に記載の分注物（２）。
【請求項２５】
前記分注物（２）がスポンジ、好ましくはプラスチック製のスポンジ（２５）を備えることを特徴とする、請求項２２から２４の何れか一項に記載の分注物（２）。
【請求項２６】
前記分注物（２）が、前記分注物（２）を受容容積（２０）内に適合する分注物形状（２２）に維持する、液体が透過可能なネット状布帛、特にガーゼ（２３）を備えることを特徴とする、請求項２２から２５の何れか一項に記載の分注物（２）。
【請求項２７】
前記ネット状布帛（２３）が、前記分注物の外側面（２６）上に配置されることを特徴とする、請求項２６に記載の分注物（２）。
【請求項２８】
前記少なくとも１つの水溶性要素が、表面（２９）が水溶性層（２８）によって形成され、内部（３０）がフレーバーおよび／または栄養素および／または栄養補助剤および／または医薬化合物を含むシロップ（３２）または茶などの物質で充填される、球体（２７）に関与することを特徴とする、請求項２３から２７の何れか一項に記載の分注物（２）。
【請求項２９】
同じ物質（３２）または異なる複数の物質（３２）を有するいくつかの球体（２７）が前記分注物容積（２４）内に配置され、特に前記１つの物質（３２）または前記複数の物質（３２）の連続的な分注を可能にするために、前記球体（２７）の前記水溶性層（２８）が様々な層厚さ（３１）を有することを特徴とする、請求項２８に記載の分注物（２）。
【請求項３０】
請求項２２から２９の一項に記載の少なくとも１つの分注物（２）、好ましくは錠剤を備える、請求項１から２１の何れか一項に記載の閉鎖キャップ（７）。
【発明の詳細な説明】
【技術分野】
【０００１】
本発明は、液体容器、好ましくはボトル、より好ましくはペットボトル上に装着するための、閉鎖キャップ、好ましくはねじ式キャップに関し、この閉鎖キャップは、注出開口部、好ましくは再閉鎖可能な注出開口部と、少なくとも１つの分注物、好ましくは少なくとも１つの錠剤を受容するための共通の受容容積を閉鎖キャップとともに形成する受容要素と、を備え、閉鎖キャップは開放され得、こうして受容容積内への少なくとも１つの分注物の導入または受容容積からの前記分注物の取り出しを可能にするための受容容積への入口を形成し、少なくとも１つの分注物が液体と接触できるように受容要素は液体が透過可能である。
【０００２】
本発明は、本発明による閉鎖キャップを有する液体容器内に配された液体に混合するための分注物、好ましくは錠剤にも関する。
【０００３】
本発明は最後に、本発明による閉鎖キャップと、少なくとも１つの本発明による分注物と、を備えるシステムに関する。
【背景技術】
【０００４】
移動中またはスポーツ中の液体の摂取を可能とするために、飲料用ボトル、特に閉鎖キャップを有する飲料用ボトルが知られている。飲料用ボトルは通常、閉鎖キャップが上に螺着されるねじ山を備える。ねじ山は規格化され、前記飲料用ボトルの様々な規格化されたねじ山の数は少ない。これらのボトルは一方で、たとえばミネラルウォーターで事前充填され得、このミネラルウォーターは、フレーバーと、またはアイソトニック飲料と混合され得る。他方で、必要に応じて使用者によって混合された液体を受容するように指定されるボトルが関与させられ得る。この場合、果汁シロップの他に、粉末形態または錠剤形態の発泡性の粉末が利用可能である。
【０００５】
いずれの場合においても、飲料の使用の継続時間全体の間、すなわちその飲料の消費の開始から終了までの間、使用者がその特定の飲料混合物に固定されることは不利であり、このことは、まだボトル中に容れられている液体が既に選択されたフレーバーのみを備えているために、使用者が飲料の消費中にもはやフレーバーを変更できないことを意味している。
【０００６】
しかしながら、特定のフレーバーに対する欲求が、飲料の消費の開始と終了との間に変化する可能性があるというだけではない。使用者が、たとえば非アイソトニック飲料に決定していて、自身がスポーツを練習してきた特定の時間期間の後で、アイソトニック飲料を摂ることを望む場合、このことも、液体がボトル中にまだ存在していてはもはや可能ではない。
【０００７】
発泡性の錠剤によって飲料を調合する場合、その発泡性の錠剤を溶解させるために化学物質の使用が必要とされ、このことは、この場合、飲料を調合するために完全に天然物質を使用することが可能ではないことを意味し、このことは不利であると見なされ得る。
【０００８】
錠剤の不完全な溶解は、最適でない用量、特に発泡性の粉末または錠剤の過剰な濃度によって引き起こされ得る。厳密に言えば、粉末または錠剤を液体（通常は水）と混合する際、特定的に存在している液体の量が考慮される必要があるため、適正な用量を維持することは通常、常に容易であるとは限らない。
【０００９】
これらの欠点は、ＵＳ２０１０／００１２１９３Ａ１により少なくとも部分的に修正され得る。これは、３つの部品、すなわち錠剤容器と容器蓋と閉鎖キャップ閉鎖具と、で形成される閉鎖キャップを有する液体容器について記述している。容器蓋は、錠剤容器内に錠剤を挿入するために、螺脱され、その後再び螺着されねばならない。容器蓋が落とされるまたは失われる可能性のあることは不利である。
【先行技術文献】
【特許文献】
【００１０】
【特許文献１】ＵＳ２０１０／００１２１９３Ａ１
【発明の概要】
【００１１】
したがって、上述の欠点を回避することによって、フレーバーおよび／または栄養素および／または栄養補助剤および／または医薬化合物を、液体容器内に受容され得る液体内に混合することを可能にする、液体容器用の閉鎖キャップを提供することが本発明の目的である。任意の数の様々な型のボトルが数個の閉鎖キャップとともに使用され得るように、数個の様々に規格化された型のねじ山の各々に対して、１つの閉鎖キャップが提供されるものとする。錠剤の挿入中に、閉鎖キャップの一部または閉鎖キャップ自体が落とされるまたは失われる可能性のないことが保証されるものとする。
【００１２】
特に、フレーバーおよび／または栄養素および／または栄養補助剤の簡単な交換を可能とする簡単な取り扱いが保証されることになる。
【００１３】
さらに、たとえば閉鎖キャップを有するボトルから、部分的に溶解された分注物取り出すことが容易になるものとする。
【００１４】
さらに、用量の問題、特に液体中のフレーバーおよび／または栄養素および／または栄養補助剤の高過ぎる濃度が防止されることになる。混合に関して天然物質が使用され得るように、この場合、化学物質の回避の可能性がさらに提供されることになる。
【００１５】
これらの目的は、液体容器、好ましくはボトル、より好ましくはペットボトル上に装着するための、閉鎖キャップ、好ましくはねじ式キャップによって達成され、この閉鎖キャップは、注出開口部、好ましくは再閉鎖可能な注出開口部と、少なくとも１つの分注物、好ましくは少なくとも１つの錠剤を受容するための共通の受容容積を閉鎖キャップとともに形成する受容要素と、を備え、閉鎖キャップは開放され得、こうして受容容積内への少なくとも１つの分注物の導入または受容容積からの前記分注物の取り出しを可能にするための受容容積への入口を形成し、少なくとも１つの分注物が液体と接触できるように受容要素は液体が透過可能である。本発明によれば、閉鎖キャップに接続された閉鎖要素が提供され、これによって入口が液密な様式で封止され得るかまたは解放され得る、ということが提供される。
【００１６】
閉鎖キャップは好ましくは、あらゆる規格化された水ボトルに適合するねじ式キャップに関与するか、または、少ない数の様々に規格化された型のボトルねじ山を、少ない数の様々な閉鎖キャップとともに使用することが可能である。閉鎖キャップは通常、閉鎖キャップの注出開口部を封止するマウスピースを設けられており、好ましくはこのマウスピースを変位させることによって、閉鎖位置または閉鎖された位置から、放出位置または開放位置へと移行され得る。閉鎖された位置では、液体はマウスピースを介して閉鎖キャップを通過することができない。動作位置では、液体容器がスポーツ活動中に使用者によって移送または携行されるときであっても、本発明による閉鎖キャップを用いて、液体容器内の液体の確実な貯蔵が可能とされる。放出位置では、液体は閉鎖キャップを通過することができ、使用者はしたがって飲むことができる。
【００１７】
閉鎖要素が、受容物を受容容積内に定置するかまたはこれをそこから取り出すための簡単で迅速な可能性を示すことが、認識されている。接続は、閉鎖要素が意図せず落ち得ないことを保証する。使用者はしたがって、閉鎖キャップが開いている間に閉鎖要素をどこに置くべきかを心配する必要がない。さらに、閉鎖要素が床の上に落ちてこの結果汚くなるという好ましくない状況が、このことにより防止され得る。閉鎖要素は、たとえば単に脇に折り畳まれ得る閉鎖キャップの上側部分として、または横方向に折り畳まれるドアとしても、構成され得る。構成に関する様々な可能性は、それらが受容容積への簡単で素早い到達を提供し、このことにより分注物が素早い簡単な方法で変更、導入、または取り出しされ得る、という点で共通している。
【００１８】
閉鎖要素の開放および特に閉鎖が、その過程に意識を集中する必要なく、簡単で素早い様式で提供され得る。
【００１９】
受容要素は、好ましくは平坦な表面として形成される。これは、特に簡単でしたがって安価な実施形態を示す。
【００２０】
分注物の一部が注出開口部を封止することを防止するために、閉鎖キャップは、受容要素と注出開口部との間に配置される保持要素を備え、保持要素は、分注物が注出開口部に達するのを防止するように、液体が透過可能である。保持要素は、閉鎖キャップと一体に構成され得るか、または保持要素は、別個の要素として閉鎖キャップに接続され得る。この場合、液体に対する透過性が提供され、このことは、分注物またはそのまだ分解されていない部分が注出開口部を塞ぐのを防止するように、小さい開口部によって実現され得る。このことに応じて、本発明による閉鎖キャップの実施形態の変形形態では、閉鎖キャップは、受容要素と注出開口部との間に配置される保持要素を備え、保持要素は、分注物が注出開口部に達するのを防止するように、液体が透過可能である、ということがもたらされる。
【００２１】
閉鎖キャップの費用効果の高い製造が、本発明による閉鎖キャップのさらなる好ましい実施形態において、受容要素がプラスチックで製作されるという形で達成される。保持要素もプラスチックで製作されることも考慮され得る。
【００２２】
受容要素の液体に対する透過性は、受容要素が格子状のまたはグリッド状の様式で好ましくは配置される貫通開口部を備えるような方法で、本発明による液体容器の好ましい実施形態において実現される。
【００２３】
保持要素の液体に対する透過性が、本発明による閉鎖キャップの好ましい実施形態において、保持要素が好ましくは格子状のまたはグリッド状の様式で形成される貫通開口部を備えるような方法で実現される。こうして、分注物または分注物の一部が飲んだ後で液体容器に達することが、さらに高い信頼性をもって防止される。
【００２４】
先立って飲む前の液体との分注物の起こり得る接触は、閉鎖キャップにおける受容要素の精確な配置構成に主に依存する。閉鎖キャップによって形成される容積内に受容要素が完全に位置付けられているときの垂直に立っている液体容器の場合、接触は防止され得る。これは、一方で閉鎖キャップによって、および他方で閉鎖キャップの縁部によってその一部上に境界付けられる想像された表面積によって境界付けられる容積を意味する。前記想像された表面積は、液体容器との閉鎖キャップの接続を可能にするために、特に閉鎖キャップが前記容器上に螺着されることを可能にするために、実際には材料を伴わない。このことは、この場合、閉鎖キャップの接触は、飲む過程において使用者によって行われるように、ボトルが回動されている間にのみ生じることを意味する。したがってこのことに応じて、本発明による閉鎖キャップの好ましい実施形態では、受容要素が、動作位置において、閉鎖キャップによって形成された容積内に配置される、ということが提供される。
【００２５】
受容要素の任意の交換を可能にするために、本発明による閉鎖キャップのさらなる好ましい実施形態では、受容要素が閉鎖キャップ内に解放可能に固止される、ということが提供される。
【００２６】
本発明による閉鎖キャップのさらなる実施形態では、保持要素が閉鎖キャップ内に解放可能に固止される、ということが提供される。
【００２７】
動作状態における分注物の横方向の滑りを防止するために、注出開口部の方向に突出する円形の境界要素が受容要素上に配置される、という形で、分注物の滑りが防止され得る。したがって液体は、全ての側から分注物の周りを均等に流れる。
【００２８】
本発明による閉鎖キャップのさらなる実施形態では、閉鎖要素は枢動可能である。枢動可能な閉鎖要素が、錠剤を受容容積内に定置するかまたはこれをそこから取り出すための簡単で素早い可能性を示すことが、認識されている。枢動可能な、という用語は、閉鎖要素が閉鎖キャップから取り外され得、結果的に生じる開口部が錠剤を受容容積内に置くためのまたはこれをそこから取り出すための受容容積への到達を可能にするような程度までこうして少なくとも部分的に取り出され得るような形において、理解されるものとする。枢動可能な、はしたがって、たとえば閉鎖要素が脱落することなく分注物を導入するために、入口を閉鎖する位置から閉鎖要素が偏向され得ること、および閉鎖要素が次いで入口を閉鎖する位置に簡単な方法で戻され得ることを意味する。
【００２９】
本発明による閉鎖キャップのさらなる実施形態では、閉鎖要素は、ヒンジ状の接続要素によって接続される。ヒンジ状の接続要素は、薄いウェブ（web）、または１つもしくはいくつかの固定されたヒンジ、または可撓性のプラスチック片、または任意の他の好適な要素とすることができる。ヒンジは、たとえば受容容積への入口の簡単な開放を可能とするだけでなく、移動がヒンジにより案内され入口を適切に閉鎖するためには単に外部から作用する力を加えればよいので、使用者が閉鎖の過程に意識を集中する必要性を回避することを可能にする、閉鎖中の案内部の提供も行う。使用者はしたがって、入口がどのように閉鎖されるか、または使用者が閉鎖要素を閉鎖キャップのそれ以外の部分上に特定の様式で定置することが必要であることに特別な注意を払う必要がない。
【００３０】
本発明による閉鎖キャップのある実施形態では、閉鎖要素は、閉鎖キャップのジャケット表面の一部として形成され、この閉鎖要素は動作位置において入口を封止する。閉鎖要素は、横方向に、上向きに、または下向きに折り畳まれ得る、フラップとして形成され得る。このことは、このことが閉鎖要素の閉鎖された状態において閉鎖要素の位置で液体が流れ出すのを防止し、分注物の素早く簡単な定置を可能にするための開放状態における受容容積への到達を提供し、この場合特定の状況による意図されない開放が防止されるので、簡単で洗練された解決法を示す。閉鎖キャップにはしたがって、マウスピースに対する閉鎖キャップから離れる方向への引っ張り力によって閉鎖された状態から開放状態へと移行される、再閉鎖可能なマウスピースが設けられ得る。この目的のために必要とされる力は、たとえば袋の中で閉鎖キャップに対して他の物体が擦れることによってマウスピースが不用意に開放されないように計算される。ただしこのことは、上向きの方向に開放する閉鎖要素が、マウスピースに対する前記強い引っ張り力によって不用意に開放され得るという結果につながるが、このことは、ジャケット表面の一部としての閉鎖要素の実施形態においては防止される。
【００３１】
本発明による閉鎖キャップのさらなる実施形態では、閉鎖キャップは、２つの部分を備え、第１の部分は液体容器に固止するためのねじ山を備え、第２の部分は注出開口部を備え、第２の部分は閉鎖要素を形成する。２つ部分の構成の結果として、受容要素上への分注物の定置が特に簡単である。
【００３２】
第１の部分から第２の部分への移行部が、閉鎖キャップの水平方向の分割部を表すことが可能である。
【００３３】
閉鎖キャップの特に簡単な実施形態では、閉鎖キャップは、移行部の領域において、円筒形に形成される。これは、簡単でしたがって安価でもある実施形態を示す。
【００３４】
受容容積の特に簡単で快適な充填は、閉鎖キャップが分注物のための抜き出し可能な貯蔵要素を備えるという形で実現され得、この貯蔵要素は、入口と受容容積とに対応し、開いた入口を通して受容容積内に導入され得、受容要素上に定置され得、このことは、貯蔵要素が受容容積を充填するための開いた入口から引かれ、少なくとも１つの分注物が受容要素内に置かれ、貯蔵要素が開いた入口を介してこうして受容容積内に再び押し込まれることを意味する。この実施形態に関して、たとえば受容容積内で既に部分的に溶解されている錠剤が、より容易に再び取り出され得ることは、さらに有利である。
【００３５】
本発明による閉鎖キャップのさらなる実施形態では、第２の部分はそのジャケット表面上に、閉鎖キャップの半径方向において内向きに面する局所的な変形部を備え、この結果として、動作位置において、局所的な変形部により第１の部分に対して圧力が及ぼされ、２つの部分は互いに対して相互に締め付けられる。変形部は、円筒形の受容容積の半径方向において内向きに面する。したがって、マウスピースに対する強い引っ張りを通してマウスピース上の開口部を飲むために解放する、マウスピースを有する閉鎖キャップの場合に、閉鎖部分が追加的に不用意に開放されないことが防止される。
【００３６】
閉鎖要素のさらなる実施形態は、これが閉鎖キャップのジャケット表面に沿って変位可能な摺動部として形成されるというものである。摺動部は、たとえば閉鎖キャップの長手軸と平行な方向にまたは閉鎖キャップの円周方向において長手軸に対して垂直に、変位可能とすることができる。摺動部は、閉鎖キャップのジャケット表面からの矩形の区域に実質的に対応し得る。
【００３７】
摺動部としての閉鎖要素の構成では、摺動部が、プロファイルレール（profile rail）を使用することによって閉鎖キャップに対して変位可能である、ということが提供され得る。１つまたはいくつかのプロファイルレールはこの場合、摺動部における対向する両側に（たとえば長手方向の両縁部または横断方向の両縁部上にまたはそれらの近くに）各側で設けられ得、これらのプロファイルレールは、互いに対して平行に延在し、それぞれの外形を有する閉鎖キャップのくぼみの中で案内される。逆に、閉鎖キャップが、互いに対して平行な少なくとも２つのプロファイルレールを入口の外側に備え、これらのプロファイルレールが閉鎖要素のそれぞれのくぼみ内に係合する、ということが提供され得る。プロファイルレールの外形は、プロファイルレールがくぼみからその長手方向の延長に対して垂直方向に引き出され得ないように、いずれの場合にもたとえばテーパを備える。
【００３８】
本発明による閉鎖キャップを使用するときの簡単な取り扱いと最適用量の可能性とを保証するために、本発明による閉鎖キャップの受容容積内に収容するための分注物、好ましくは錠剤が、本発明により提供される。
【００３９】
これに応じて、本発明による閉鎖キャップの受容容積内での分注物、好ましくは錠剤の使用が、本発明により提供される。
【００４０】
分注物が受容容積内に収容され得ることを保証するために、本発明による分注物の好ましい実施形態では、分注物が受容容積よりも大きくない分注物容積を有する、ということが提供される。
【００４１】
液体と接触するときに飲料の生成を可能にするか、または、フレーバーおよび栄養素および／もしくは栄養補助剤および／もしくは医薬化合物を放出しこうしてこれらを液体内に混合するために、本発明による分注物の好ましい実施形態によれば、分注物が、飲料を生成するための、ならびに／または、フレーバーおよび／もしくは栄養素および／もしくは栄養補助剤および／もしくは医薬化合物を放出するための、少なくとも１つの水溶性要素を備える、ということが提供される。栄養素は、炭水化物、ミネラル、およびビタミンを備える。いくつかの炭水化物、ミネラル、およびビタミンが放出される場合、この結果アイソトニック飲料の生成が可能となる。
【００４２】
受容容積内に少なくとも１つの分注物が配置される場合、液体は、飲む過程において前記分注物の周りを流れ、この分注物は、物質、特にフレーバーおよび／または栄養素および／または栄養補助剤および／または医薬化合物をこの液体に放出することができ、このことは、液体との混合物が、使用者が実際にその混合物を飲む直前に生じることを意味する。液体中の所望される物質の過剰な濃度が、こうして主として回避され得る。
【００４３】
この点に関して、飲む過程の後でボトルを移動させたときに、液体の特定の部分が受容容積からボトル内へと全体に流れて戻ることになるという注意が払われねばならない。上述の物質の特定の部分は、ボトル内に位置付けられた残っている液体へと移行される可能性があり、このことは、分注物の構成またはその分注特性において考慮される必要がある。
【００４４】
水溶性要素が閉鎖キャップの通路開口部を通過し得ないことを保証するのに追加的に寄与する、水溶性要素の空間的に安定した配置構成を保証するために、これらは、たとえば分注物容積を少なくとも部分的に充填するスポンジ内に配置される。したがって、このことに応じて、本発明による分注物の好ましい実施形態では、分注物が、スポンジ、好ましいプラスチック製のスポンジを備える、ということが提供される。前記プラスチック製のスポンジは、特に好ましい様式では、液体が水溶性要素に容易に達し得るような特に好まれた方法で形成され得、このことは、たとえば粗く織られた繊維で製作されるスポンジ布帛によって達成され得る。
【００４５】
取り扱いをさらに改善するために、本発明による分注物の好ましい実施形態では、分注物が、受容容積に適合する分注物形状に分注物を保持する、液体が透過可能なネット状布帛、特にガーゼを備える、ということが提供される。こうして安定化された分注物形状は特に、水溶性要素が既に完全にまたは少なくとも部分的に溶解されてしまってから、飲む過程の後でさえ、分注物の簡単で便利のよい変更をもまた可能にする。
【００４６】
同時に簡単な製造可能性と組み合わされた、分注物形状の特に良好な安定化が、ネット状布帛が分注物の外側面に配置されるという形で達成され得る。
【００４７】
飲料の調合に関して化学物質の使用を回避し天然物質のみを使用するために、本発明による分注物の好ましい実施形態では、少なくとも１つの水溶性要素が、分注物容積内に配置された、表面が水溶性層によって形成され、内部がフレーバーおよび／または栄養素および／または栄養補助剤および／または医薬化合物を含むシロップまたは茶などの物質で充填される、球体に関与する、ということが提供される。水溶性層はこの場合、水溶性のアイシング、特に砂糖のアイシングから形成され、このことは化学物質の回避に寄与する。
【００４８】
物質、特にフレーバーおよび／または栄養素および／または栄養補助剤および／または医薬化合物の送達の時間進行は、様々なアイシング層厚さを有するいくつかの球体によって実現され得る。最も薄いアイシング層厚さを有する球体は、最初に物質を放出し、一方、より厚いアイシング層厚さを有する球体は、まだ何も物質を放出しない。より薄いアイシング層厚さを最初に有する球体の物質が消費されてしまった、より後の時点で初めて、より厚いアイシング層厚さを最初に有する球体が、それらの中に貯蔵された物質を放出することになる。
【００４９】
これらは、液体内でこれらの物質の一時的に一定の濃度が達成されるように、たとえば以前と同じ物質に関与し得る。最初は果物のフレーバーを有する飲料が提供され、それより後の時点でアイソトニック飲料が提供されるように、球体内に様々な物質を提供することも可能である。このことは、運動する人が、ただ１つの単一の液体容器を携行することによって、時間にわたって様々な飲料を飲むことを可能にし、この場合はアイソトニック飲料も含まれている。
【００５０】
このことが、本発明による分注物の特に好ましい実施形態において、同じ物質または異なる複数の物質を有するいくつかの球体が、分注物容積内に配置され、特に１つの物質または複数の物質の連続的な送達を可能にするために、球体の水溶性層が様々な層厚さを備える、ということが提供される理由である。
【００５１】
最後に、本発明による閉鎖キャップおよび液体容器は、飲料の簡単な生成か、またはフレーバーおよび／もしくは栄養素および／もしくは栄養補助剤および／もしくは医薬化合物の液体への混合を可能にするシステムとして見なされるものである。
【００５２】
以下で本発明が、実施形態を参照してより詳細に説明される。図面は例示的なものであり、進歩性を備えた概念を説明するために使用されるが、これを確定的に限定または再現するものではない。
【図面の簡単な説明】
【００５３】
【図１】基体と本発明による閉鎖キャップとを有するボトルの軸測投影図。
【図２】部分的に露出された区域を有し、閉鎖キャップに取り付けられた受容要素および保持要素を有する、図１による閉鎖キャップの軸測投影図。
【図３】開放状態にある図１による閉鎖キャップの軸測投影図。
【図４】本発明による図３の閉鎖キャップの局所的な変形部の区域の断面図。
【図５】本発明による図３の閉鎖キャップの局所的な変形部の区域の断面図。
【図６】本発明による閉鎖キャップのさらなる実施形態の軸測投影図。
【図７】開いた入口を有する、図６の閉鎖キャップの軸測投影図。
【図８】部分的に露出された区域を有し、閉鎖キャップに取り付けられた受容要素および保持要素を有する、図６の閉鎖キャップの軸測投影図。
【図９】先行技術による閉鎖キャップの軸測投影図。
【図１０】本発明による閉鎖キャップのさらなる実施形態の軸測投影図。
【図１１】開放状態にある、図１０の閉鎖キャップの軸測投影図。
【図１２】部分的に露出された区域を有し、閉鎖キャップに取り付けられた受容要素と保持要素とを有する、図１０の閉鎖キャップの軸測投影図。
【図１３】部分的に露出され開放状態にある、本発明による閉鎖キャップのさらなる実施形態の軸測投影図。
【図１４】部分的に露出された区域とともに概略的に示され、先行する図面の閉鎖キャップ内に収容され得る錠剤の、軸測投影図。
【図１５】シロップで充填される図１４の球体を通る断面図。
【図１６】下向きに解放され得る摺動部を有する、開放状態にある本発明による閉鎖キャップのさらなる実施形態の軸測投影図。
【図１７】横方向に解放され得る摺動部を有する、開放状態にある本発明による閉鎖キャップのさらなる実施形態の軸測投影図。
【図１８】上向きに解放され得る摺動部を有する、開放状態にある本発明による閉鎖キャップのさらなる実施形態の軸測投影図。
【図１９】閉鎖された状態にある、図１８の閉鎖キャップを示す図。
【図２０】図１９の閉鎖キャップを下方から示す図。
【図２１】図１９の閉鎖キャップを通る垂直断面図。
【図２２】図２１の細部Ａを示す図。
【図２３】図１９の閉鎖キャップを上方から示す図。
【発明を実施するための形態】
【００５４】
図１は、基体３６と本発明による閉鎖キャップ７とを有する、ボトル５の形態の液体容器を示す。閉鎖キャップ７が動作位置８において示され、ここにおいて閉鎖キャップ７は、注出開口部９を封止する。閉鎖キャップ７は、ねじ山３４（図２を参照）によって基体３６上に螺着される。
【００５５】
閉鎖キャップ７には、図１において閉鎖された位置１１で示される、マウスピース３３が設けられる。閉鎖された位置１１では、閉鎖キャップ７は、ボトル５内にまたはボトルの基体３６内に収容され液体レベル３８を有する液体３７が透過不可能である。マウスピース３３は、長手軸１０に沿ってマウスピース３３を変位させることによって、閉鎖された位置１１から放出位置（図示されない）へと移され得る。放出位置では、閉鎖キャップ７は、使用者がボトル５から飲むことができるように、液体３７が透過可能である。
【００５６】
ボトルの基体３６は、動作位置８において閉鎖キャップ７とともに連携して容積４を画定する、内部壁６を備える。閉鎖キャップの受容要素１は、本発明によれば前記容積４内に配置され、この受容要素は、少なくとも１つの分注物２、好ましくは少なくとも１つの錠剤を収容するための連結受容容積２０を、閉鎖キャップ７とともに形成する。図２は、そのような実施形態を、露出された区域とともに示される閉鎖キャップの軸測投影図に基づいて示す。
【００５７】
受容要素１は、閉鎖キャップ７に固止され、好ましくはそこに解放可能に取り付けられ、平坦な表面として形成される。受容要素１はこの場合、動作位置８において閉鎖キャップ７によって形成された容積内に配置される。受容要素１は、少なくとも円形の軌道のあらゆる点において、閉鎖キャップ７の内壁と接触する。錠剤２（図１４を参照）は、受容要素１上に定置され得る。円形の境界要素１６（図２）は、錠剤の横方向の滑りを防止し、この錠剤は、特に飲む過程において、ボトル５によって収容された液体３７によって接触される。飲料がこうして生成され得るか、またはフレーバーおよび／もしくは栄養素および／もしくは栄養補助剤および／もしくは医薬化合物などの物質が液体に分注され得る。
【００５８】
閉鎖キャップは、受容容積２０内への少なくとも１つの錠剤２の挿入または受容容積２０からの前記錠剤の取り出しを可能とするための、入口１２を備える。図１および図２において示される実施形態では、閉鎖キャップ７は、受容要素１を備える第１の底部部分１３と、注出開口部９と保持要素４１とを備える第２の上側部分１４と、を備え、第１の部分１３への第２の部分１４の移行部４６は、水平方向の分割部を表す。図３は、開放状態にあるこの実施形態を示す。
【００５９】
移行部４６は、図１において、閉鎖キャップ７を第１の部分１３および第２の部分１４へと分割する。保持要素４１は、第２の部分１４内に位置付けられる。保持要素４１は、受容要素１と同様に、示される実施形態では、平坦な表面として構成される。
【００６０】
閉鎖キャップの第１の部分の縁部３９の領域において、膨出部１８が配置され、この膨出部は閉鎖キャップ７の全周に沿って延在する。閉鎖キャップの第２の部分の縁部４０の領域において、切欠き１９が配置され、この切欠きも、閉鎖キャップの第２の部分１４に沿って閉鎖キャップの内側面上に、閉じた円形の様式で延在する。動作位置８において２つの部分１３および１４が閉鎖キャップを緊密に封止するように、切欠き１９の測定される最も内側の円周は、膨出部１８の最も外側の円周よりも、１０分の１ミリメートルだけ大きい。
【００６１】
ヒンジ状の接続要素４３も、開放状態において閉鎖キャップ７の２つの部分１３および１４を接続する。接続要素４３は、第２の部分１４が残りの部分から上に折られることを可能にする。
【００６２】
第２の部分１４は、そのジャケット表面上に、局所的な変形部４７を有する。変形部４７は、閉鎖された状態において緊張下にあり（弛緩された状態／緊張付与された状態における変形の比較が、図４および図５において示される）、このことにより２つの部分１３および１４の不用意な開放を防止する。さらに、膨出部１８は、閉鎖要素４２の開放中には変形部４７が膨出部１８の上で押される必要がありこのように抵抗を生み出すという形で、不用意な開放を防止する。
【００６３】
受容要素１とさらに保持要素４１の両方は、貫通開口部１５を備え、これらの貫通開口部１５を通して、液体３７が、少なくとも飲む過程において受容容積２０の中に入るかまたはそこから出て、こうして受容容積２０内に位置付けられた錠剤２と接触する。図２において認識され得るように、貫通開口部は、規則的な間隔で配置され、こうしてグリッドまたは格子の形状を作り出す。貫通開口部１５は、飲料の生成か、または錠剤２から液体３７への物質、特にフレーバーおよび栄養素および／もしくは栄養補助剤および／もしくは医薬化合物の分注を、可能にする。
【００６４】
図１０から図１３は、あらゆる規格化された水ボトル、特にペットボトル上にねじ山３４によって螺着され得る、本発明による閉鎖キャップ７の代替の実施形態を示す。比較の目的で、先行技術による閉鎖キャップが図９において示されている。使用者が閉鎖キャップ７を螺戻しして取り外すのを助けるために、図１０から図１３において示される閉鎖キャップ７は、この場合縦溝として構成される、表面構造３５を有する。さらに、閉鎖キャップ７は、取り外し可能なまたは脇に折り畳まれ得るカバー３を備え、これにより、（図面において示されるような）マウスピース３３が覆われ得る。
【００６５】
図１２は、部分的に露出された区域を有し、本発明による受容要素１と保持要素４１とを有する、図１０の閉鎖キャップ７の軸測投影図を示す。受容容積２０は、円筒形形状を有する。
【００６６】
代替の実施形態が、図６から図８において示されている。閉鎖キャップ７は、閉鎖要素４２を備える。図６において示される閉鎖された状態では、閉鎖キャップ７は、液体３７が漏れることのできないように、入口１２を完全に封止する。開放状態１７（図７において示される）において、閉鎖要素４２は、入口１２を解放し、こうして受容容積２０内への錠剤２の挿入または前記容積からの前記錠剤の取り出しを可能にする。この過程において（図８を参照）、受容要素１は、閉鎖要素４２のねじ山３４に面する側に位置付けられ、一方、保持要素４１は、閉鎖要素４２のマウスピース３３に面する側に位置付けられる。
【００６７】
図１４は、部分的に露出された区域とともに示され受容容積２０内に配置され得る、概略的に示された錠剤２の、軸測投影図を示す。図１４において示される錠剤２の実施形態の場合、これは、受容容積２０内に適合する分注物形状２２を備える。いずれの場合にも満たされる必要のある１つの条件は、錠剤２の分注物容積２４が受容容積２０よりも大きくてはならないということである。
【００６８】
錠剤２を永久的に分注物形状２２に保つために、錠剤２は、分注物の外側面２６上に配置されるガーゼ２３を備える。
【００６９】
図１４は、分注物２４がプラスチック製のスポンジ２５によって部分的に充填されていることをさらに示す。分注物容積２４内には、球体２７も配置される。液体３７は、プラスチック製のスポンジ２５を通って球体２７へと進むことができる。ガーゼ２３であるネット状布帛も、液体３７が透過可能である。
【００７０】
球体２７は、液体３７への混合が生じ得るように、飲料を生成するか、またはフレーバーおよび／もしくは栄養素および／もしくは栄養補助剤および／もしくは医薬化合物を放出するための、水溶性要素として働く。この目的のために、球体２７は、図１５の断面図に従って構成される。このことは、各球体２７が、好ましくは砂糖で製作される水溶性のアイシング層２８によって形成される、表面２９を有することを意味する。アイシング層２８は、球体の内部３０を画定し、特定のアイシング層厚さ３１を有する。液体３７に添加されることになる物質は、球体の内部３０内に配置され、特にフレーバーおよび／または栄養素および／または栄養補助剤および／または医薬化合物である。図１５の実施形態では、球体の内部３０は、シロップ３２で充填される。
【００７１】
シロップ３２の放出、または液体３７とのその混合／液体３７へのその添加は、アイシング層厚さ３１を有するアイシング層２８が溶解されてしまったときにのみ発生する。
【００７２】
アイシング層２８の溶解に様々な時間の長さがかかるように、アイシング層厚さ３１には、様々な球体２７において様々な厚さが提供され得る。シロップ３２の混合の時間進行は、これに応じて構成され得る。さらに、様々な球体２７が、それらのそれぞれの球体の内部３０内に、様々な物質を含み得る。したがって、ある球体２７はシロップ３２を含み得、一方で他の球体２７は、たとえば液体３７との球体２７の接触の特定の期間の後でアイソトニック飲料を提供するための、他の物質を提供する。
【００７３】
さらに、球体２７は、それ自体様々なサイズが提供され得る、すなわち、これらは、図１４において示されるように、様々な大きさの直径を有し得る。様々なアイシング層厚さ３１と相互作用して、液体３７との球体２７の接触の継続時間に応じて、球体の内部３０内に位置付けられた物質（たとえばシロップ３２）を様々な量で放出することがこうして可能となる。
【００７４】
最後に、様々なアイシング層厚さ３１を有する様々な大きさの球体２７内に、様々な物質（上で説明されたように、必ずしもシロップ３２とは限らない）を配置することも可能である。結果として、液体３７への様々な量の様々な物質の混合の時間進行が、このことにより決定され得る。
【００７５】
図１６は、閉鎖キャップ４２が、閉鎖キャップのジャケット表面に沿って、すなわち閉鎖する位置から下向きに（カバー３から離れる方向に）開放位置へと変位可能な摺動部として形成される、本発明による閉鎖キャップのさらなる実施形態を示す。この目的のために、真っ直ぐなプロファイルレールが、閉鎖要素４２の内側面上の長手方向の両縁部の近くに設けられ、これらのプロファイルレールは、長手軸１０と平行に延在する閉鎖キャップ７のそれぞれの真っ直ぐなくぼみ４８内に係合する。他の全ての点において、すなわち受容要素１とカバー３と保持要素４１（図１６においては図示されない）とねじ山３４と表面構造３５とに関しては、閉鎖キャップ７の構成は、図１３の構成と実質的に同一である。
【００７６】
閉鎖要素４２の横断方向の両縁部（閉鎖キャップ７の円周方向への延長部）上におよび入口１２の横断方向の両縁部上に、たとえば一方の部分上の封止膨出部と他方の部分上のそれぞれのくぼみとによって、相互に対応する封止（ここでは図示されない）が設けられる。
【００７７】
図１７による実施形態は、図１６の実施形態に実質的に対応するが、この場合、摺動部として構成される閉鎖要素４２は、長手軸１０に沿ってではなく、閉鎖キャップ７の円周に沿って変位可能である。このことに応じて、環状のプロファイルレールが、閉鎖要素４２の内側面上の横断方向の２つの縁部の近くに設けられ、これらのプロファイルレールは、閉鎖キャップ７のそれぞれの環状のくぼみ４８内に係合し、これらのくぼみは、長手軸１０に対して垂直に、すなわち円周方向に延在する。
【００７８】
図１８による実施形態は、図１６の実施形態に非常に似ているが、図１８において摺動部として構成される閉鎖要素４２は、閉鎖する位置から上向きにのみ変位可能である。閉鎖要素は、底部側の閉鎖キャップ７の停止部上に留まる。したがって閉鎖要素４２が、重力また適正でない作動の結果として下向きに押されてくぼみ４８から出て閉鎖キャップ７から分離される可能性はない。閉鎖要素４２が上向きの方向に押し出されるのを防止するために、閉鎖要素４２の底部側に、閉鎖要素４２の最も上の（開放）位置に達したときに閉鎖キャップ７のそれぞれの要素によって保持される、突出部が設けられ得る。
【００７９】
閉鎖キャップ４２はその内側面（＝閉鎖キャップに面する面）上の２つの長手方向の縁部上に、それぞれのプロファイルレール４４を備え、これらは、閉鎖キャップ７のそれぞれのくぼみ４８（溝）内で案内される。プロファイルレール４４の外形はこの場合、プロファイルレール４４がくぼみ４８からその長手方向の延長に対して垂直な方向に引き出され得ないように、プロファイルレール４４によって特に噛み合う様式で取り囲むように係合される、それぞれのテーパ部分を備える。図１６における閉鎖要素４２の長手方向の両縁部および図１７における閉鎖要素４２の横断方向の両縁部は、同様に案内され封止され得る。
【００８０】
くぼみ４８は閉鎖キャップ７のジャケット表面から離れる方向に内向きにずらされるので、閉鎖要素４２の外側表面は、ジャケット表面と面一とすることができる。
【００８１】
プロファイルレール４４およびくぼみ４８は、入口１２を閉鎖要素４２の長手方向の両縁部上で液密な様式で封止する。図２２において、閉鎖要素４２の上側の横断方向の縁部が、閉鎖キャップ７上に配置され円周方向に延在し閉鎖要素４２の上側の横断方向の縁部上のそれぞれの凹部内に（特に噛み合う様式で）係合する、封止膨出部４９によって封止されることが示されている。閉鎖要素４２の底部の横断方向の縁部は、同じように封止される。図１６における閉鎖要素４２の横断方向の縁部、および図１７における閉鎖要素４２の長手方向の縁部は、同じように封止され得る。
【００８２】
閉鎖キャップからの閉鎖要素４２を離れた下向きの摺動を防止するために、図１６から図２３の全ての実施形態において、限界停止部（limit stop）または同様のものが設けられ得る。
【００８３】
図１８から図２３による実施形態では、受容要素１および保持要素４１は、閉鎖キャップ７と一体の様式で形成され、プラスチックで製作される。
【００８４】
図１から図１３および図１６から図２３の全ての実施形態において、分注物が入口１２を通して受容容積２０内に直接置かれるのではなく、入口１２を通して受容容積２０内に導入されさらにそこから再び取り出され得る、取り出し可能な（たとえば引き出しと同様に抜き出し可能な）貯蔵要素内に置かれることが、主として可能であろう。貯蔵要素は、受容要素１内に存在するものとなるか、または前記要素と置き換えることもできる。
【符号の説明】
【００８５】
１  受容要素
２  分注物
３  カバー
４  容積
５  ボトル
６  ボトルの内壁
７  閉鎖キャップ
８  動作位置
９  注出開口部
１０  長手軸
１１  閉鎖された位置
１２  入口
１３  閉鎖キャップの第１の部分
１４  閉鎖キャップの第２の部分
１５  貫通開口部
１６  円形の境界要素
１７  解放された閉鎖要素
１８  膨出部
１９  切欠き
２０  受容容積
２１  閉鎖キャップの縁部
２２  分注物形状
２３  ガーゼ
２４  分注物容積
２５  プラスチック製のスポンジ
２６  分注物の外側面
２７  球体
２８  アイシング層
２９  球体の表面
３０  球体の内部
３１  アイシング層の厚さ
３２  シロップ
３３  マウスピース
３４  ねじ山
３５  表面構造
３６  ボトルの基体
３７  液体
３８  液体レベル
３９  閉鎖キャップの第１の部分の縁部
４０  閉鎖キャップの第２の部分の縁部
４１  保持要素
４２  閉鎖要素
４３  ヒンジ状の接続要素
４４  プロファイルレール
４５  閉鎖キャップのジャケット表面
４６  移行部
４７  変形部
４８  プロファイルレール４４のくぼみ
４９  封止膨出部
【図１】
2016533983.tif 000003
【図２】
2016533983.tif 000004
【図３】
2016533983.tif 000005
【図４】
2016533983.tif 000006
【図５】
2016533983.tif 000007
【図６】
2016533983.tif 000008
【図７】
2016533983.tif 000009
【図８】
2016533983.tif 000010
【図９】
2016533983.tif 000011
【図１０】
2016533983.tif 000012
【図１１】
2016533983.tif 000013
【図１２】
2016533983.tif 000014
【図１３】
2016533983.tif 000015
【図１４】
2016533983.tif 000016
【図１５】
2016533983.tif 000017
【図１６】
2016533983.tif 000018
【図１７】
2016533983.tif 000019
【図１８】
2016533983.tif 000020
【図１９】
2016533983.tif 000021
【図２０】
2016533983.tif 000022
【図２１】
2016533983.tif 000023
【図２２】
2016533983.tif 000024
【図２３】
2016533983.tif 000025
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
液体容器、好ましくはボトル（５）、より好ましくはペットボトル上に装着するための、閉鎖キャップ（７）、好ましくはねじ式キャップであって、前記閉鎖キャップ（７）が、好ましくは再閉鎖可能な注出開口部（９）と、少なくとも１つの分注物（２）、好ましくは少なくとも１つの錠剤を受容するための共通の受容容積（２０）を前記閉鎖キャップ（７）とともに形成する受容要素（１）と、を備え、前記閉鎖キャップ（７）は開放され得、こうして前記受容容積（２０）内への前記少なくとも１つの分注物（２）の導入または前記受容容積（２０）からの前記分注物の取り出しを可能にするための前記受容容積（２０）への入口（１２）を形成し、前記少なくとも１つの分注物（２）が液体（３７）と接触できるように前記受容要素（１）は前記液体（３７）が透過可能である前記閉鎖キャップ（７）において、
前記閉鎖キャップ（７）に接続された閉鎖要素（４２）が設けられ、これにより前記入口（１２）が液密な様式で封止され得るかまたは解放されることができ、前記閉鎖要素４２が、前記閉鎖キャップのジャケット表面に沿って変位可能な摺動部として形成される、ことを特徴とする、記閉鎖キャップ（７）。
【請求項２】
前記受容要素（１）が平坦な表面として構成されることを特徴とする、請求項１に記載の閉鎖キャップ（７）。
【請求項３】
前記閉鎖キャップ（７）が、前記受容要素（１）と前記注出開口部（９）との間に配置される保持要素（４１）を備え、前記保持要素（４１）は、前記分注物（２）が前記注出開口部（９）に達するのを防止するように、前記液体（３７）が透過可能であることを特徴とする、請求項１または２に記載の閉鎖キャップ（７）。
【請求項４】
前記受容要素（１）がプラスチックで製作されることを特徴とする、請求項１から３の何れか一項に記載の閉鎖キャップ（７）。
【請求項５】
前記受容容積（２０）が、少なくとも部分的に円筒の形状を有することを特徴とする、請求項１から４の何れか一項に記載の閉鎖キャップ（７）。
【請求項６】
前記受容要素（１）が、好ましくはグリッドまたは格子の形態で形成される貫通開口部（１５）を備えることを特徴とする、請求項１から５の何れか一項に記載の閉鎖キャップ（７）。
【請求項７】
前記保持要素（４１）が、好ましくはグリッドまたは格子の形態で形成される貫通開口部（１５）を備えることを特徴とする、請求項１から６の何れか一項に記載の閉鎖キャップ（７）。
【請求項８】
前記受容要素（１）が、前記閉鎖キャップ（７）によって形成された容積内に完全に配置されることを特徴とする、請求項１から７の何れか一項に記載の閉鎖キャップ（７）。
【請求項９】
前記受容要素（１）が、前記閉鎖キャップ（７）内に着脱可能に固止されることを特徴とする、請求項１から８の何れか一項に記載の閉鎖キャップ（７）。
【請求項１０】
前記保持要素（４１）が、前記閉鎖キャップ（７）内に着脱可能に固止されることを特徴とする、請求項３から９の何れか一項に記載の閉鎖キャップ（７）。
【請求項１１】
動作状態における前記分注物（２）の横方向の滑りを防止するために、前記注出開口部の方向に突出する円形の境界要素（１６）が前記受容要素（１）上に配置されることを特徴とする、請求項１から１０の何れか一項に記載の閉鎖キャップ（７）。
【請求項１２】
前記閉鎖キャップ（７）が前記分注物（２）のための抜き出し可能な貯蔵要素を備え、前記抜き出し可能な貯蔵要素が前記入口（１２）と前記受容容積（２０）とに対応し、前記抜き出し可能な貯蔵要素が前記入口（１２）を通して前記受容容積（２０）内に導入され前記受容要素（１）上に定置され得ることを特徴とする、請求項１から１１の何れか一項に記載の閉鎖キャップ（７）。
【請求項１３】
前記摺動部が、プロファイルレール（４４）を使用することによって前記閉鎖キャップ（７）に対して変位可能であることを特徴とする、請求項１から１２の何れか一項に記載の閉鎖キャップ（７）。
【請求項１４】
少なくとも１つの分注物（２）を備える、請求項１から１３の何れか一項に記載の閉鎖キャップ（７）。
【手続補正２】
【補正対象書類名】明細書
【補正対象項目名】００１７
【補正方法】変更
【補正の内容】
【００１７】
閉鎖要素が、受容物を受容容積内に定置するかまたはこれをそこから取り出すための簡単で迅速な可能性を示すことが、認識されている。接続は、閉鎖要素が意図せず落ち得ないことを保証する。使用者はしたがって、閉鎖キャップが開いている間に閉鎖要素をどこに置くべきかを心配する必要がない。さらに、閉鎖要素が床の上に落ちてこの結果汚くなるという好ましくない状況が、このことにより防止され得る。閉鎖要素は、たとえば単に脇に折り畳まれ得る閉鎖キャップの上側部分として、または横方向に折り畳まれるドアとしても、構成され得るかもしれない。構成に関する様々な可能性は、それらが受容容積への簡単で素早い到達を提供し、このことにより分注物が素早い簡単な方法で変更、導入、または取り出しされ得る、という点で共通している。
【手続補正３】
【補正対象書類名】明細書
【補正対象項目名】００２８
【補正方法】変更
【補正の内容】
【００２８】
基本的には、閉鎖要素は枢動可能であることが可能である。枢動可能な閉鎖要素が、錠剤を受容容積内に定置するかまたはこれをそこから取り出すための簡単で素早い可能性を示すことが、認識されている。枢動可能な、という用語は、閉鎖要素が閉鎖キャップから取り外され得、結果的に生じる開口部が錠剤を受容容積内に置くためのまたはこれをそこから取り出すための受容容積への到達を可能にするような程度までこうして少なくとも部分的に取り出され得るような形において、理解されるものとする。枢動可能な、はしたがって、たとえば閉鎖要素が脱落することなく分注物を導入するために、入口を閉鎖する位置から閉鎖要素が偏向され得ること、および閉鎖要素が次いで入口を閉鎖する位置に簡単な方法で戻され得ることを意味する。
【手続補正４】
【補正対象書類名】明細書
【補正対象項目名】００２９
【補正方法】変更
【補正の内容】
【００２９】
基本的には、閉鎖要素は、ヒンジ状の接続要素によって接続されることが可能である。ヒンジ状の接続要素は、薄いウェブ（web）、または１つもしくはいくつかの固定されたヒンジ、または可撓性のプラスチック片、または任意の他の好適な要素とすることができる。ヒンジは、たとえば受容容積への入口の簡単な開放を可能とするだけでなく、移動がヒンジにより案内され入口を適切に閉鎖するためには単に外部から作用する力を加えればよいので、使用者が閉鎖の過程に意識を集中する必要性を回避することを可能にする、閉鎖中の案内部の提供も行う。使用者はしたがって、入口がどのように閉鎖されるか、または使用者が閉鎖要素を閉鎖キャップのそれ以外の部分上に特定の様式で定置することが必要であることに特別な注意を払う必要がない。
【手続補正５】
【補正対象書類名】明細書
【補正対象項目名】００３０
【補正方法】変更
【補正の内容】
【００３０】
本発明による閉鎖キャップのある実施形態では、閉鎖要素は、閉鎖キャップのジャケット表面の一部として形成され、この閉鎖要素は動作位置において入口を封止する。基本的には、閉鎖要素は、横方向に、上向きに、または下向きに折り畳まれ得る、フラップとして形成され得る。このことは、このことが閉鎖要素の閉鎖された状態において閉鎖要素の位置で液体が流れ出すのを防止し、分注物の素早く簡単な定置を可能にするための開放状態における受容容積への到達を提供し、この場合特定の状況による意図されない開放が防止されるので、簡単で洗練された解決法を示す。閉鎖キャップにはしたがって、マウスピースに対する閉鎖キャップから離れる方向への引っ張り力によって閉鎖された状態から開放状態へと移行される、再閉鎖可能なマウスピースが設けられ得る。この目的のために必要とされる力は、たとえば袋の中で閉鎖キャップに対して他の物体が擦れることによってマウスピースが不用意に開放されないように計算される。ただしこのことは、上向きの方向に開放する閉鎖要素が、マウスピースに対する前記強い引っ張り力によって不用意に開放され得るという結果につながるが、このことは、ジャケット表面の一部としての閉鎖要素の実施形態においては防止される。
【手続補正６】
【補正対象書類名】明細書
【補正対象項目名】００３１
【補正方法】変更
【補正の内容】
【００３１】
閉鎖キャップは、２つの部分を備え、第１の部分は液体容器に固止するためのねじ山を備え、第２の部分は注出開口部を備え、第２の部分は閉鎖要素を形成することが可能である。２つ部分の構成の結果として、受容要素上への分注物の定置が特に簡単である。
【手続補正７】
【補正対象書類名】明細書
【補正対象項目名】００３６
【補正方法】変更
【補正の内容】
【００３６】
本発明によると、閉鎖要素は、閉鎖キャップのジャケット表面に沿って変位可能な摺動部として形成されるというものである。摺動部は、たとえば閉鎖キャップの長手軸と平行な方向にまたは閉鎖キャップの円周方向において長手軸に対して垂直に、変位可能とすることができる。摺動部は、閉鎖キャップのジャケット表面からの矩形の区域に実質的に対応し得る。
【手続補正８】
【補正対象書類名】明細書
【補正対象項目名】００８４
【補正方法】変更
【補正の内容】
【００８４】
図１から図１３および図１６から図２３の全ての実施形態において、分注物が入口１２を通して受容容積２０内に直接置かれるのではなく、入口１２を通して受容容積２０内に導入されさらにそこから再び取り出され得る、取り出し可能な（たとえば引き出しと同様に抜き出し可能な）貯蔵要素内に置かれることが、主として可能であろう。貯蔵要素は、受容要素１内に存在するものとなるか、または前記要素と置き換えることもできる。
ここで、出願当初の特許請求の範囲の記載を付記する。
［条項１］
液体容器、好ましくはボトル（５）、より好ましくはペットボトル上に装着するための、閉鎖キャップ（７）、好ましくはねじ式キャップであって、前記閉鎖キャップ（７）が、好ましくは再閉鎖可能な注出開口部（９）と、少なくとも１つの分注物（２）、好ましくは少なくとも１つの錠剤を受容するための共通の受容容積（２０）を前記閉鎖キャップ（７）とともに形成する受容要素（１）と、を備え、前記閉鎖キャップ（７）は開放され得、こうして前記受容容積（２０）内への前記少なくとも１つの分注物（２）の導入または前記受容容積（２０）からの前記分注物の取り出しを可能にするための前記受容容積（２０）への入口（１２）を形成し、前記少なくとも１つの分注物（２）が液体（３７）と接触できるように前記受容要素（１）は前記液体（３７）が透過可能である前記閉鎖キャップ（７）において、
前記閉鎖キャップ（７）に接続された閉鎖要素（４２）が設けられ、これにより前記入口（１２）が液密な様式で封止され得るかまたは解放され得ることを特徴とする、閉鎖キャップ（７）。
［条項２］
前記受容要素（１）が平坦な表面として構成されることを特徴とする、条項１に記載の閉鎖キャップ（７）。
［条項３］
前記閉鎖キャップ（７）が、前記受容要素（１）と前記注出開口部（９）との間に配置される保持要素（４１）を備え、前記保持要素（４１）は、前記分注物（２）が前記注出開口部（９）に達するのを防止するように、前記液体（３７）が透過可能であることを特徴とする、条項１または２に記載の閉鎖キャップ（７）。
［条項４］
前記受容要素（１）がプラスチックで製作されることを特徴とする、条項１から３の何れか一項に記載の閉鎖キャップ（７）。
［条項５］
前記受容容積（２０）が、少なくとも部分的に円筒の形状を有することを特徴とする、条項１から４の何れか一項に記載の閉鎖キャップ（７）。
［条項６］
前記受容要素（１）が、好ましくはグリッドまたは格子の形態で形成される貫通開口部（１５）を備えることを特徴とする、条項１から５の何れか一項に記載の閉鎖キャップ（７）。
［条項７］
前記保持要素（４１）が、好ましくはグリッドまたは格子の形態で形成される貫通開口部（１５）を備えることを特徴とする、条項１から６の何れか一項に記載の閉鎖キャップ（７）。
［条項８］
前記受容要素（１）が、前記閉鎖キャップ（７）によって形成された容積内に完全に配置されることを特徴とする、条項１から７の何れか一項に記載の閉鎖キャップ（７）。
［条項９］
前記受容要素（１）が、前記閉鎖キャップ（７）内に着脱可能に固止されることを特徴とする、条項１から８の何れか一項に記載の閉鎖キャップ（７）。
［条項１０］
前記保持要素（４１）が、前記閉鎖キャップ（７）内に着脱可能に固止されることを特徴とする、条項３から９の何れか一項に記載の閉鎖キャップ（７）。
［条項１１］
動作状態における前記分注物（２）の横方向の滑りを防止するために、前記注出開口部の方向に突出する円形の境界要素（１６）が前記受容要素（１）上に配置されることを特徴とする、条項１から１０の何れか一項に記載の閉鎖キャップ（７）。
［条項１２］
前記閉鎖要素（４２）が枢動可能であることを特徴とする、条項１から１１の何れか一項に記載の閉鎖キャップ（７）。
［条項１３］
前記閉鎖要素（４２）がヒンジ状の接続要素（４３）によって接続されることを特徴とする、条項１から１２の何れか一項に記載の閉鎖キャップ（７）。
［条項１４］
前記閉鎖要素（４２）が、前記閉鎖キャップのジャケット表面（４８）の一部として形成され、動作位置（８）において前記閉鎖要素（４２）が前記入口（１２）を封止することを特徴とする、条項１から１３の何れか一項に記載の閉鎖キャップ（７）。
［条項１５］
前記閉鎖キャップ（７）が２つの部分を備え、第１の部分（１３）が液体容器に固定するためのねじ山を備え、第２の部分（１４）が前記注出開口部（９）を形成し、前記第２の部分が前記閉鎖要素（４２）を形成することを特徴とする、条項１から１４の何れか一項に記載の閉鎖キャップ（７）。
［条項１６］
前記第１の部分（１３）から前記第２の部分（１４）への移行部（４６）が、前記閉鎖キャップ（７）の水平方向の分割部を表すことを特徴とする、条項１５に記載の閉鎖キャップ（７）。
［条項１７］
前記閉鎖キャップが、前記移行部（４６）の領域において、円筒形の様式で形成されることを特徴とする、条項１６に記載の閉鎖キャップ（７）。
［条項１８］
前記閉鎖キャップ（７）が前記分注物のための抜き出し可能な貯蔵要素を備え、前記貯蔵要素が前記入口（１２）と前記受容容積（２０）とに対応し、前記貯蔵要素が前記入口（１２）を通して前記受容容積（２０）内に導入され前記受容要素（１）上に定置され得ることを特徴とする、条項１から１７の何れか一項に記載の閉鎖キャップ（７）。
［条項１９］
前記第２の部分（１４）がそのジャケット表面上に変形部（４７）を備え、前記変形部が前記閉鎖キャップ（７）の半径方向において内向きに面し、前記変形部により、前記動作位置（８）において、前記局所的な変形部（４７）により前記第１の部分（１３）に対して圧力が及ぼされ、前記２つの部分（１３、１４）が互いに対して締め付けられることを特徴とする、条項１５から１８の何れか一項に記載の閉鎖キャップ（７）。
［条項２０］
前記閉鎖要素（４１）が、前記閉鎖キャップ（７）の前記ジャケット表面に沿って変位可能な摺動部として形成されることを特徴とする、条項１から１１の何れか一項または条項１８記載の閉鎖キャップ（７）。
［条項２１］
前記摺動部が、プロファイルレール（４４）を使用することによって前記閉鎖キャップ（７）に対して変位可能であることを特徴とする、条項２０に記載の閉鎖キャップ（７）。
［条項２２］
条項１から２１の何れか一項に記載の閉鎖キャップ（７）の受容容積（２０）内に収容するための分注物（２）、好ましくは錠剤。
［条項２３］
前記分注物（２）が、飲料を生成するための、ならびに／または、フレーバーおよび／もしくは栄養素および／もしくは栄養補助剤および／もしくは医薬化合物を放出するための、少なくとも１つの水溶性要素（２７）を備えることを特徴とする、条項２２に記載の分注物（２）。
［条項２４］
前記分注物（２）が、前記受容容積（２０）よりも大きくない分注物容積（２４）を有することを特徴とする、条項２２または２３に記載の分注物（２）。
［条項２５］
前記分注物（２）がスポンジ、好ましくはプラスチック製のスポンジ（２５）を備えることを特徴とする、条項２２から２４の何れか一項に記載の分注物（２）。
［条項２６］
前記分注物（２）が、前記分注物（２）を受容容積（２０）内に適合する分注物形状（２２）に維持する、液体が透過可能なネット状布帛、特にガーゼ（２３）を備えることを特徴とする、条項２２から２５の何れか一項に記載の分注物（２）。
［条項２７］
前記ネット状布帛（２３）が、前記分注物の外側面（２６）上に配置されることを特徴とする、条項２６に記載の分注物（２）。
［条項２８］
前記少なくとも１つの水溶性要素が、表面（２９）が水溶性層（２８）によって形成され、内部（３０）がフレーバーおよび／または栄養素および／または栄養補助剤および／または医薬化合物を含むシロップ（３２）または茶などの物質で充填される、球体（２７）に関与することを特徴とする、条項２３から２７の何れか一項に記載の分注物（２）。
［条項２９］
同じ物質（３２）または異なる複数の物質（３２）を有するいくつかの球体（２７）が前記分注物容積（２４）内に配置され、特に前記１つの物質（３２）または前記複数の物質（３２）の連続的な分注を可能にするために、前記球体（２７）の前記水溶性層（２８）が様々な層厚さ（３１）を有することを特徴とする、条項２８に記載の分注物（２）。
［条項３０］
条項２２から２９の一項に記載の少なくとも１つの分注物（２）、好ましくは錠剤を備える、条項１から２１の何れか一項に記載の閉鎖キャップ（７）。
【国際調査報告】
2016533983.tif 000026
2016533983.tif 000027
2016533983.tif 000028
2016533983.tif 000029
2016533983.tif 000030
2016533983.tif 000031
2016533983.tif 000032
2016533983.tif 000033
2016533983.tif 000034